(57)【要約】【課題】ケーブル配線の引き回し及びその重量を軽減し、ケーブルが長くなることによって発生する電気ノイズを軽減することができる信号処理装置および電気機器筐体内部信号伝送システムを提供することを目的とする。【解決手段】メモリカードインターフェース部１１０で読み取った画像などのデジタル情報は、赤外線などの光信号に変換され、見渡し空間を介して、デジタル信号処理部１２０に渡され、デジタル信号処理部１２０は、赤外線などの光信号を受信し、電気信号に変換し、画像処理を施し、ブラウン管テレビ１３０等に表示される。【選択図】図１
2005210578.tif 000002
【特許請求の範囲】
【請求項１】
電気機器筐体の内部にあって、前記電気機器筐体の外部からの圧縮された情報を入力後、前記情報を伝送フォーマットに変換し、Ｅ／Ｏ変換した光信号を電気機器筐体の内部に送信する第１の信号処理装置。
【請求項２】
電気機器筐体の内部にあって、請求項１記載の第１の信号処理装置からの光信号を受信後、Ｏ／Ｅ変換し、伝送フォーマットから情報を抽出し、伸張した復号化情報に変換する第２の信号処理装置。
【請求項３】
請求項１記載の第１の信号処理装置および請求項２記載の第２の信号処理装置を有する電気機器筐体内部信号伝送システム。
【請求項４】
電気機器筐体の内部にあって、第１のインターフェース部の出力を処理する第１のデータ処理部と、前記第１のデータ処理部の出力を伝送フォーマットに変換する第１の伝送フォーマット変換部と、前記第１の伝送フォーマット変換部の出力をＥ／Ｏ変換して光信号で情報の送信を行う第１の光送受信部とを有する第１の信号処理装置。
【請求項５】
電気機器筐体の内部にあって、請求項４記載の光送信部から光信号を受信しＯ／Ｅ変換して電気信号に変換する第２の光送受信部と、前記第２の光送受信部の出力を伝送フォーマットに変換する第２の伝送フォーマット変換部と、前記第２の伝送フォーマット変換部の出力に基づき圧縮された情報を抽出し、伸張した復号化情報に変換する第２のデータ処理部と、前記第２のデータ処理部の出力を外部に伝達する第２のインターフェース部とを有する第２の信号処理装置。
【請求項６】
請求項４記載の第１の信号処理装置および請求項５記載の第２の信号処理装置とを有する電気機器筐体内部信号伝送システム。
【請求項７】
伝送フォーマットは、時分割多重アクセス方式である請求項１または４記載の第１の信号処理装置。
【請求項８】
伝送フォーマットは、時分割多重アクセス方式である請求項２または５記載の第２の信号処理装置。
【請求項９】
第１の信号処理装置がメモリカードインターフェース部であり、第２の信号処理装置がデジタル信号処理部である請求項３または６記載の電気機器筐体内部信号伝送システム。
【請求項１０】
電気機器筐体は、液晶テレビセット、プラズマテレビセット、またはブラウン管テレビセットである請求項１または４記載の第１の信号処理装置。
【請求項１１】
電気機器筐体は、液晶テレビセット、プラズマテレビセット、またはブラウン管テレビセットである請求項２または５記載の第２の信号処理装置。
【発明の詳細な説明】
【技術分野】
【０００１】
本発明は、電気機器筐体内部において、複数の信号処理装置が点在して存在しており、それらを接続する伝送用ケーブルの重量を軽量化し、ケーブル配線長が長いことによって生じるノイズを軽減する信号処理装置および電気機器筐体内部信号伝送システムに関するものである。
【背景技術】
【０００２】
従来のテレビには、デジタルカメラなどで撮影した写真品質の静止画を表示するため、デジタルカメラに使用されているのと同様のメモリカードインターフェースが備えられており、メモリーカードなどの電気信号を処理するデジタル処理部と、メモリーカードを挿入するインターフェースコネクタ部とをフラットケーブルで接続していた。
図６は従来のブラウン管テレビの筐体の機構構成を示す図、図７は従来の液晶テレビの筐体での機構構成を示す図である。図６、図７は、テレビの電気機器筐体内での、電気信号処理を行うデジタル処理部とインターフェース部の従来の接続を示すものである。図６は、ブラウン管テレビの側面図を示しており、ブラウン管テレビ３００は、メモリカードインターフェース部３０１と、デジタル信号処理部３０２と、メモリカードインターフェース部３０１とデジタル信号処理部３１２を接続するフラットケーブル３０３から構成されている。また、図７は、液晶テレビの側面図を示しており、液晶テレビ３１０は、メモリカードインターフェース部３１１と、デジタル信号処理部３１２と、メモリカードインターフェース部３１１とデジタル信号処理部３１２を接続するフラットケーブル３１３から構成されている。また、フラットケーブルを使用しない通信方法としては、テレビの電気機器筐体内での信号伝送ではないが、特許文献１に記載された表示装置と外部装置とを赤外線によって接続するコードレス光通信装置がある。
【特許文献１】特開平７−９５１５７号公報
【発明の開示】
【発明が解決しようとする課題】
【０００３】
しかしながら、従来の構成では、メモリーカードなどの電気信号を処理するデジタル処理部と、メモリーカードを挿入するメモリーインターフェース部が離れており、接続するためには長いケーブルを用いるため電気信号にノイズがのり、メモリーカードインターフェース部に挿入されたメモリーカードから正常にメモリ情報を読み出せないといった問題があった。
【０００４】
特に近年では、ＰＤＰ（プラズマディスプレイパネル）、液晶パネルなどを代表とするテレビの大画面化に伴い、デジタル処理部分とメモリーカードインターフェース部との距離が長くなり、伝送ケーブルにのるノイズも大きくなっていている。
【０００５】
本発明は、前記従来の課題を解決するもので、ケーブル配線の引き回し及びその重量を軽減し、ケーブルが長くなることによって発生する電気ノイズを軽減することができる信号処理装置および電気機器筐体内部信号伝送システムを提供することを目的とする。
【課題を解決するための手段】
【０００６】
本発明の請求項１に記載の発明は、電気機器筐体の内部にあって、前記電気機器筐体の外部からの圧縮された情報を入力後、前記情報を伝送フォーマットに変換し、Ｅ／Ｏ変換した光信号を電気機器筐体の内部に送信する第１の信号処理装置である。
【０００７】
本発明の請求項２に記載の発明は、電気機器筐体の内部にあって、請求項１記載の第１の信号処理装置からの光信号を受信後、Ｏ／Ｅ変換し、伝送フォーマットから情報を抽出し、伸張した復号化情報に変換する第２の信号処理装置である。
【０００８】
本発明の請求項３に記載の発明は、請求項１記載の第１の信号処理装置および請求項２記載の第２の信号処理装置を有する電気機器筐体内部信号伝送システムである。
【０００９】
本発明の請求項４に記載の発明は、電気機器筐体の内部にあって、第１のインターフェース部の出力を処理する第１のデータ処理部と、前記第１のデータ処理部の出力を伝送フォーマットに変換する第１の伝送フォーマット変換部と、前記第１の伝送フォーマット変換部の出力をＥ／Ｏ変換して光信号で情報の送信を行う第１の光送受信部とを有する第１の信号処理装置である。
【００１０】
本発明の請求項５に記載の発明は、電気機器筐体の内部にあって、請求項４記載の光送信部から光信号を受信しＯ／Ｅ変換して電気信号に変換する第２の光送受信部と、前記第２の光送受信部の出力を伝送フォーマットに変換する第２の伝送フォーマット変換部と、前記第２の伝送フォーマット変換部の出力に基づき圧縮された情報を抽出し、伸張した復号化情報に変換する第２のデータ処理部と、前記第２のデータ処理部の出力を外部に伝達する第２のインターフェース部とを有する第２の信号処理装置である。
【００１１】
本発明の請求項６に記載の発明は、請求項４記載の第１の信号処理装置および請求項５記載の第２の信号処理装置とを有する電気機器筐体内部信号伝送システムである。
【００１２】
本発明の請求項７に記載の発明は、伝送フォーマットは、時分割多重アクセス方式である請求項１または４記載の第１の信号処理装置である。
【００１３】
本発明の請求項８に記載の発明は、伝送フォーマットは、時分割多重アクセス方式である請求項２または５記載の第２の信号処理装置である。
【００１４】
本発明の請求項９に記載の発明は、第１の信号処理装置がメモリカードインターフェース部であり、第２の信号処理装置がデジタル信号処理部である請求項３または６記載の電気機器筐体内部信号伝送システムである。
【００１５】
本発明の請求項１０に記載の発明は、電気機器筐体は、液晶テレビセット、プラズマテレビセット、またはブラウン管テレビセットである請求項１または４記載の第１の信号処理装置である。
【００１６】
本発明の請求項１１に記載の発明は、電気機器筐体は、液晶テレビセット、プラズマテレビセット、またはブラウン管テレビセットである請求項２または５記載の第２の信号処理装置である。
【発明の効果】
【００１７】
以上のように、本発明の電気機器筐体内部信号伝送システムによれば、電気機器筐体内で情報を光空間伝送するため、ケーブル配線の引き回し及びその重量を軽減し、ケーブルが長くなることによって発生する電気ノイズを軽減することができる。
【発明を実施するための最良の形態】
【００１８】
以下本発明の実施の形態について、図面を参照しながら説明する。
（実施の形態１）
図１は、本発明の実施の形態１における電気機器筐体内光伝送システム１００の構成を示すブロック図である。また、図２は、本発明の実施の形態１におけるブラウン管テレビ、図３は、液晶テレビの電気機器筐体内部の光空間伝送を行う電気機器筐体内部の機構構成を示す図である。第１の信号処理部をメモリーカードインターフェース部、第２の信号処理部をデジタル信号処理部としたとき、図２、図３とも構成要素は同じなので、図２について以下説明を行う。
【００１９】
テレビの筐体の内部にあって、メモリーカード内に圧縮された静止画情報が蓄積されているとき、第１の信号処理部１１０は、メモリーカードから第１のインターフェース部１１４を介して情報を読み出し、第１のデータ処理部１１３でその情報を圧縮等の符号化を行い、第１の伝送フォーマット変換部１１２でシリアル情報で伝送できるフォーマットに変換し、第１の光送受信部１１１に転送し、見通し空間１３３を介して、光空間伝送する。第２の信号処理部１２０は、第１の信号処理部１１０の光送受信部１１１から送信され見通し空間１３３を介して、光空間伝送された情報を第２の光送受信部１２１で受信する。受信した信号を第２の伝送フォーマット変換部１２２で第２のデータ処理部１２３が処理しやすいデータ形式に変換し、第２のデータ処理部１２３に伝送する。第２のデータ処理部１２３は、圧縮等の符号化された静止画情報を伸張等の復号化を行い、静止画情報を取り出し、第２のインターフェース部１２４に伝送する。
【００２０】
なお、静止画情報の伝送は、第１の信号処理部１１０から第２の信号処理部１２０への伝送であるが、実際には、静止画情報を読み出すだめの制御情報が第２の信号処理部１２０から第１の信号処理部１１０に伝送されており、第１の光送受信部１１１、第２の光送受信部１２１は、情報を送受信する必要がある。
【００２１】
本実施の形態によれば、第１の信号処理部１１０、第２の信号処理部１２０を設け、光空間伝送を電気機器筐体内で行うことにより、ケーブル配線を削除し、ケーブル配線の引き回し及びその重量を軽減し、ケーブルが長くなることによって発生する電気ノイズを軽減することができる。
【００２２】
なお、本実施の形態において、テレビを具体例として説明したが一般の電気機器であってもよい。また、光は、赤外線、可視光、電波無線であってもよい。
（実施の形態２）
図４は、本発明の実施の形態２における電気機器筐体内部の構成を示すブロック図である。電気機器筐体内光伝送システムは、信号処理部２１０、２２０、２３０、２４０から構成されており、それぞれの信号処理部２１０、２２０、２３０、２４０が通信するための見通し空間２５０があり、電気機器筐体内部で光伝送を行う。電気機器筐体内光伝送システムの信号処理部２１０、２２０、２３０、２４０は、インターフェース部、データ処理部、伝送フォーマット変換部の処理内容は異なるが、それぞれが、光送受信部を具備する構成となっている。
【００２３】
なお、本実施の形態として、信号処理部を４つとしたが、５つ以上でもよい。
【００２４】
図５は、本発明の実施の形態２における伝送フォーマットを示す図である。この伝送フォーマットは時分割多重アクセス方式である。伝送フォーマット２６０は、タイムスロット２６１〜２７２から構成されている。伝送フォーマット２６０において、信号処理部２１０の送信タイムスロットは、２６１〜２６３であり、それぞれ、信号処理部２２０、信号処理部２３０、信号処理部２４０宛へのデータを格納する。信号処理部２２０の送信タイムスロットは、２６４〜２６６であり、それぞれ、信号処理部２１０、信号処理部２３０、信号処理部２４０宛へのデータを格納する。信号処理部２３０の送信タイムスロットは、２６７〜２６９であり、それぞれ、信号処理部２１０、信号処理部２２０、信号処理部２４０宛へのデータを格納する。信号処理部２４０の送信タイムスロットは、２７０〜２７２であり、それぞれ、信号処理部２１０、信号処理部２２０、信号処理部２３０宛へのデータを格納する。例えば、信号処理部２１０が信号処理部２２０にデータを伝送する場合、信号処理部２１０は、タイムスロット２６１にデータを格納する。信号処理部２２０は、タイムスロット２６１に格納されたデータを受信し、光送受信部２１１で光信号を電気信号に変換し、データ処理部２１２で信号処理する。逆に、信号処理部２２０が信号処理部２１０にデータを伝送する場合、信号処理部２２０は、タイムスロット２６４に格納されたデータを受信し、信号処理部Ｂを構成している光送受信部で光信号を電気信号に変換し、データ処理部で信号処理する。
【００２５】
本実施の形態によれば、信号処理部が多数ある場合でもケーブル配線を削除し、ケーブル配線の引き回し及びその重量を軽減し、ケーブルが長くなることによって発生する電気ノイズを軽減することができる。
【００２６】
なお、本実施の形態において、光は、赤外線、可視光、電波無線であってもよい。
【産業上の利用可能性】
【００２７】
本発明の信号処理装置および電気機器筐体内部信号伝送システムは、電気機器筐体内で情報を光空間伝送するため、ケーブル配線の引き回し及びその重量を軽減し、ケーブルが長くなることによって発生する電気ノイズを軽減することができるものであり、複数の信号処理部が点在して存在する電気機器筐体等において有用である。
【図面の簡単な説明】
【００２８】
【図１】本発明の実施の形態１、２における電気機器筐体内光伝送システムの構成を示すブロック図
【図２】本発明の実施の形態１、２におけるブラウン管テレビの電気機器筐体内光伝送システムの機構構成を示す図
【図３】本発明の実施の形態１、２における液晶テレビの電気機器筐体内光伝送システムの機構構成を示す図
【図４】本発明の実施の形態２における電気機器筐体内部の構成を示すブロック図
【図５】本発明の実施の形態２における伝送フォーマットを示す図
【図６】従来のブラウン管テレビの筐体の機構構成を示す図
【図７】従来の液晶テレビの筐体での機構構成を示す図
【符号の説明】
【００２９】
１００、２００    電気機器筐体内光伝送システム
１１０    第１の信号処理部
１１１、１２１、２１１    光送受信部
１１２、１２２、２１２    伝送フォーマット変換部
１１３、１２３、２１３    データ処理部
１１４、１２４、２１４    インターフェース部
１２０    第２の信号処理部
１３０    ブラウン管テレビ
１３１、１４１    メモリーカードインターフェース部
１３２、１４２    デジタル信号処理部
１３３、１４３、２５０    見通し空間
１４０    液晶テレビ
２１０、２２０、２３０、２４０    信号処理部
２６０    伝送フォーマット
２６１〜２７２    タイムスロット
【図１】
2005210578.tif 000003
【図２】
2005210578.tif 000004
【図３】
2005210578.tif 000005
【図４】
2005210578.tif 000006
【図５】
2005210578.tif 000007
【図６】
2005210578.tif 000008
【図７】
2005210578.tif 000009